(57)【特許請求の範囲】
【請求項１】
フレアナットのナット部と係合するナット係合部を中央に形成し、外周に歯車部を形成し、さらにナット係合部から外方に向けて一方が開放された開口部を設けたＣ字形のチャックギアを有するフレアナット用動力レンチであって、フレアナットがチャックギアに正常にセットされると、フレアナットから延出されている管部がチャックギアの中央に位置したことを検知してセンサが信号を発し、チャックギアを駆動する動力を起動可能な状態にすると共に、センサからの信号がないとチャックギアを駆動する動力が起動しないようにしたことを特徴とするフレアナット用動力レンチ。
【請求項２】
チャックギアを駆動する動力をエアモータとし、位置検出バルブと、チャックギアの中央に突出するパイプガイドをレンチ本体に設け、フレアナットがチャックギアに正常にセットされると、フレアナットから延出されている管部がパイプガイドを押し、さらにパイプガイドが位置検出バルブを押すことにより位置検出バルブが信号を発し、その信号によりレンチ本体の外部に設けた外部制御ユニットがレンチ本体に流れるエア回路を開くようにしたことを特徴とする請求項１記載のフレアナット用動力レンチ。
【請求項３】
チャックギアを駆動する動力をエアモータとし、位置検出バルブと、チャックギアの中央に突出するパイプガイドをレンチ本体に設け、さらにこの位置検出バルブによりエアモータへ流れるエアを制御可能とし、フレアナットがチャックギアに正常にセットされると、フレアナットから延出されている管部がパイプガイドを押し、さらにパイプガイドが位置検出バルブを押してエアモータへのエア回路を開くようにしたことを特徴とする請求項１記載のフレアナット用動力レンチ。
【請求項４】
チャックギアを駆動する動力をエアモータとし、リミットスイッチと、チャックギアの中央に突出するパイプガイドをレンチ本体に設け、フレアナットがチャックギアに正常にセットされると、フレアナットから延出されている管部がパイプガイドを押し、さらにパイプガイドがリミットスイッチを押すことによりリミットスイッチが信号を発し、その信号によりレンチ本体の外部に設けた外部制御ユニットがレンチ本体に流れるエア回路を開くようにしたことを特徴とする請求項１記載のフレアナット用動力レンチ。
【請求項５】
チャックギアを駆動する動力をエアモータとし、光スイッチと、チャックギアの中央に突出するパイプガイドをレンチ本体に設け、フレアナットがチャックギアに正常にセットされると、フレアナットから延出されている管部がパイプガイドを押し、さらにパイプガイドが光スイッチの受光部に入力する光を遮ることにより光スイッチが信号を発し、その信号によりレンチ本体の外部に設けた外部制御ユニットがレンチ本体に流れるエア回路を開くようにしたことを特徴とする請求項１記載のフレアナット用動力レンチ。
【請求項６】
チャックギアを駆動する動力をエアモータとし、光スイッチをレンチ本体に設け、フレアナットがチャックギアに正常にセットされると、フレアナットから延出されている管部が光スイッチの受光部に入力する光を遮ることにより光スイッチが信号を発し、その信号によりレンチ本体の外部に設けた外部制御ユニットがレンチ本体に流れるエア回路を開くようにしたことを特徴とする請求項１記載のフレアナット用動力レンチ。
【請求項７】
チャックギアを駆動する動力をエアモータとし、近接センサと、チャックギアの中央に突出するパイプガイドをレンチ本体に設け、フレアナットがチャックギアに正常にセットされると、フレアナットから延出されている管部がパイプガイドを押し、さらにパイプガイドが押されて近接センサに接近することにより近接センサが信号を発し、その信号によりレンチ本体の外部に設けた外部制御ユニットがレンチ本体に流れるエア回路を開くようにしたことを特徴とする請求項１記載のフレアナット用動力レンチ。
【請求項８】
チャックギアを駆動する動力をモータとし、リミットスイッチと、チャックギアの中央に突出するパイプガイドをレンチ本体に設け、フレアナットがチャックギアに正常にセットされると、フレアナットから延出されている管部がパイプガイドを押し、さらにパイプガイドがリミットスイッチを押すことによりリミットスイッチが信号を発し、その信号によりレンチ本体の外部に設けた外部制御ユニットがモータへ流れる電気回路を開くようにしたことを特徴とする請求項１記載のフレアナット用動力レンチ。
【請求項９】
チャックギアを駆動する動力をモータとし、光スイッチと、チャックギアの中央に突出するパイプガイドをレンチ本体に設け、フレアナットがチャックギアに正常にセットされると、フレアナットから延出されている管部がパイプガイドを押し、さらにパイプガイドが光スイッチの受光部に入力する光を遮ることにより光スイッチが信号を発し、その信号によりレンチ本体の外部に設けた外部制御ユニットがモータへ流れる電気回路を開くようにしたことを特徴とする請求項１記載のフレアナット用動力レンチ。
【請求項１０】
チャックギアを駆動する動力をモータとし、光スイッチをレンチ本体に設け、フレアナットがチャックギアに正常にセットされると、フレアナットから延出されている管部が光スイッチの受光部に入力する光を遮ることにより光スイッチが信号を発し、その信号によりレンチ本体の外部に設けた外部制御ユニットがモータへ流れる電気回路を開くようにしたことを特徴とする請求項１記載のフレアナット用動力レンチ。
【請求項１１】
チャックギアを駆動する動力をモータとし、近接センサと、チャックギアの中央に突出するパイプガイドをレンチ本体に設け、フレアナットがチャックギアに正常にセットされると、フレアナットから延出されている管部がパイプガイドを押し、さらにパイプガイドが押されて近接センサに接近することにより近接センサが信号を発し、その信号によりレンチ本体の外部に設けた外部制御ユニットがモータへ流れる電気回路を開くようにしたことを特徴とする請求項１記載のフレアナット用動力レンチ。
【発明の詳細な説明】
【０００１】
【発明の属する技術分野】
この発明は、自動車のブレーキ配管やエアコンの冷媒配管等に使用されているフレア継手のフレアナットを締緩するために使用する動力レンチに関するものである。
【０００２】
【従来の技術】
従来より自動車のブレーキ配管やエアコンの冷媒配管には、銅管が使用されており、その継手部分にはフレア継手が使用されている。フレア継手とは、フレアナットを挿通した銅管の先端をラッパ状に拡開し、相手方の先端を尖塔形に形成し、フレアナットを相手方の雄ネジ部に螺合させて締め付けることにより、ラッパ状に拡開した銅管と相手方の尖塔形部分を密接させて気密状に接続するようにしたものである。
【０００３】
フレアナットを締緩するために使用する専用工具として、フレアナットレンチと呼ばれるものがある。
【０００４】
このフレアナットレンチは、メガネレンチのボックス部の一方に配管の管部を通過可能な開口部を設けてボックス部をＣ字形に形成したものであり、配管の管部Ｐを開口部から入れ、管部に沿ってボックス部を移動し、フレアナットのナット部をレンチに係合させるようにしたものである。
【０００５】
工場等では、動力を利用した専用工具であるフレアナット用動力レンチが使用されており、このレンチは、図１７に示すように、外周に歯車部を形成し、さらに中央にフレアナットのナット部と係合するボックス形のナット係合部を形成したチャックギア70を有するものであり、チャックギア70は、メガネレンチのボックス部と同様に、フレア配管Ｆの管部Ｐを通過可能な開口部70a を設けてＣ字形に形成したものであった。
【０００６】
さらに、フレアナット用動力レンチのスロットルレバー71を押すと、チャックギア70が回動し、フレアナットを締緩するようになっている。
【０００７】
この従来の動力レンチは、管部Ｐをチャックギア70の開口部70a から入れ、管部Ｐに沿って移動し、フレアナットＦのナット部をチャックギア70のナット係合部に係合させるのであるが、配管作業は、他の部品が入り込んだ狭い場所で行われる場合が多く、フレアナットＦのナット部をチャックギア70のナット係合部10a に係合させにくかった。フレアナットＦのナット部をチャックギア70のナット係合部10a に充分に係合させていない状態でレンチを起動させてしまうと、チャックギア70によりフレア配管の管部Ｐに傷を付けたり、最悪の場合には管部Ｐを潰すことがあるという問題点があった。
【０００８】
【発明が解決しようとする課題】
そこでこの発明では、上記の問題点を解決し、フレアナットのナット部をレンチのナット係合部に正常に係合させないとスロットルレバー又はスロットルスイッチを操作してもレンチを駆動する動力が起動しないようにし、チャックギアによりフレア配管の管部に傷を付けたり、管部を潰したりすることのないフレアナット用動力レンチを提供することを課題とする。
【０００９】
【課題を解決するための手段】
そのため、この発明では、フレアナットのナット部と係合するナット係合部を中央に形成し、外周に歯車部を形成し、さらにナット係合部から外方に向けて一方が開放された開口部を設けたＣ字形のチャックギアを有するフレアナット用動力レンチであって、フレアナットがチャックギアに正常にセットされると、フレアナットから延出されている管部がチャックギアの中央に位置したことを検知してセンサが信号を発し、チャックギアを駆動する動力を起動可能な状態にすると共に、センサからの信号がないとチャックギアを駆動する動力が起動しないようにしたフレアナット用動力レンチとした。
【００１０】
このようにすれば、チャックギアのナット係合部に、フレアナットのナット部が正常にセットされない場合は、レンチが起動しない。
【００１１】
請求項２に記載のように、チャックギアを駆動する動力をエアモータとし、位置検出バルブと、チャックギアの中央に突出するパイプガイドをレンチ本体に設け、フレアナットがチャックギアに正常にセットされると、フレアナットから延出されている管部がパイプガイドを押し、さらにパイプガイドが位置検出バルブを押すことにより位置検出バルブが信号を発し、その信号によりレンチ本体の外部に設けた外部制御ユニットがレンチ本体に流れるエア回路を開くようにすることができる。
【００１２】
また、請求項３に記載のように、チャックギアを駆動する動力をエアモータとし、位置検出バルブと、チャックギアの中央に突出するパイプガイドをレンチ本体に設け、さらにこの位置検出バルブによりエアモータへ流れるエアを制御可能とし、フレアナットがチャックギアに正常にセットされると、フレアナットから延出されている管部がパイプガイドを押し、さらにパイプガイドが位置検出バルブを押してエアモータへのエア回路を開くようにすることができる。
【００１３】
また、請求項４に記載のように、チャックギアを駆動する動力をエアモータとし、リミットスイッチと、チャックギアの中央に突出するパイプガイドをレンチ本体に設け、フレアナットがチャックギアに正常にセットされると、フレアナットから延出されている管部がパイプガイドを押し、さらにパイプガイドがリミットスイッチを押すことによりリミットスイッチが信号を発し、その信号によりレンチ本体の外部に設けた外部制御ユニットがレンチ本体に流れるエア回路を開くようにすることができる。
【００１４】
また、請求項５に記載のように、チャックギアを駆動する動力をエアモータとし、光スイッチと、チャックギアの中央に突出するパイプガイドをレンチ本体に設け、フレアナットがチャックギアに正常にセットされると、フレアナットから延出されている管部がパイプガイドを押し、さらにパイプガイドが光スイッチの受光部に入力する光を遮ることにより光スイッチが信号を発し、その信号によりレンチ本体の外部に設けた外部制御ユニットがレンチ本体に流れるエア回路を開くようにすることができる。
【００１５】
また、請求項６に記載のように、チャックギアを駆動する動力をエアモータとし、光スイッチをレンチ本体に設け、フレアナットがチャックギアに正常にセットされると、フレアナットから延出されている管部が光スイッチの受光部に入力する光を遮ることにより光スイッチが信号を発し、その信号によりレンチ本体の外部に設けた外部制御ユニットがレンチ本体に流れるエア回路を開くようにすることができる。
【００１６】
また、請求項７に記載のように、チャックギアを駆動する動力をエアモータとし、近接センサと、チャックギアの中央に突出するパイプガイドをレンチ本体に設け、フレアナットがチャックギアに正常にセットされると、フレアナットから延出されている管部がパイプガイドを押し、さらにパイプガイドが押されて近接センサに接近することにより近接センサが信号を発し、その信号によりレンチ本体の外部に設けた外部制御ユニットがレンチ本体に流れるエア回路を開くようにすることができる。
【００１７】
また、請求項８に記載のように、チャックギアを駆動する動力をモータとし、リミットスイッチと、チャックギアの中央に突出するパイプガイドをレンチ本体に設け、フレアナットがチャックギアに正常にセットされると、フレアナットから延出されている管部がパイプガイドを押し、さらにパイプガイドがリミットスイッチを押すことによりリミットスイッチが信号を発し、その信号によりレンチ本体の外部に設けた外部制御ユニットがモータへ流れる電気回路を開くようにすることができる。
【００１８】
また、請求項９に記載のように、チャックギアを駆動する動力をモータとし、光スイッチと、チャックギアの中央に突出するパイプガイドをレンチ本体に設け、フレアナットがチャックギアに正常にセットされると、フレアナットから延出されている管部がパイプガイドを押し、さらにパイプガイドが光スイッチの受光部に入力する光を遮ることにより光スイッチが信号を発し、その信号によりレンチ本体の外部に設けた外部制御ユニットがモータへ流れる電気回路を開くようにすることができる。
【００１９】
また、請求項１０に記載のように、チャックギアを駆動する動力をモータとし、光スイッチをレンチ本体に設け、フレアナットがチャックギアに正常にセットされると、フレアナットから延出されている管部が光スイッチの受光部に入力する光を遮ることにより光スイッチが信号を発し、その信号によりレンチ本体の外部に設けた外部制御ユニットがモータへ流れる電気回路を開くようにすることができる。
【００２０】
また、請求項１１に記載のように、チャックギアを駆動する動力をモータとし、近接センサと、チャックギアの中央に突出するパイプガイドをレンチ本体に設け、フレアナットがチャックギアに正常にセットされると、フレアナットから延出されている管部がパイプガイドを押し、さらにパイプガイドが押されて近接センサに接近することにより近接センサが信号を発し、その信号によりレンチ本体の外部に設けた外部制御ユニットがモータへ流れる電気回路を開くようにすることができる。
【００２１】
このように、請求項２、請求項３、請求項４、請求項５、請求項７、請求項８、請求項９、請求項１１に記載の発明では、パイプガイドを設けており、パイプガイドでフレアナットから延設された管部の位置を検出するようにし、センサはパイプガイドにより管部と離れた位置で管部の位置を検出するようにしているので、レンチ本体の先部にはセンサがなく、レンチ本体の先部を小型化できるだけでなく、繊細で壊れやすいセンサが作業中に他の物とぶつかりやすいレンチ本体の先端付近にないので、故障することがなくなる。
【００２２】
【発明の実施の形態】
先ず、この発明の第１実施例について図１〜図５に基づき説明する。
【００２３】
この実施例のフレアナット用動力レンチは、図１の回路図に示すように、レンチ本体１と外部制御ユニット２からなり、外部制御ユニット２から送られたエアによりレンチ本体１に内蔵されたエアモータ３が回るようになったものであり、レンチ本体１に設けたスロットルバルブ４，４のいずれかを押すと内蔵するエアモータ３が正回転又は逆回転し、レンチ１の先端部のチャックギア10が締付け方向又は弛め方向に回動するようになっている。さらに、レンチ本体１には、フレアナットＦを締緩するときに、フレアナットＦから延設された管部Ｐの位置を検出するセンサである位置検出バルブ５を取り付けている。
【００２４】
外部制御ユニット２は、エア源６のエア圧を制御用に減圧する減圧弁７と、位置検出バルブ５から送られた信号を検知してメインエアバルブ８をオン／オフするパイロット弁９と、レンチ本体１に流れるエアを制御するメインエアバルブ８とを有している。
【００２５】
図２は、レンチ本体１の先端部の構造を示す正面図であり、図３は内部構造を示す縦断面図である。
【００２６】
これらの図に示すように、レンチ本体１の先端部には、フレアナットＦのナット部と係合するチャックギア10を設けている。このチャックギア10は外周面に歯車部10a が形成され、中央にはフレア配管の管部Ｐを挿通可能な管部挿通穴が形成されており、管部挿通穴から外方に向けてフレア配管の管部Ｐを通過可能な幅の開口部10b が形成されている。さらに、チャックギア10の下部にはフレアナットＦのナット部が係合するナット係合部10c が形成されている。
【００２７】
このチャックギア10の歯車部10a は、中間ギア11と歯合し、中間ギア11は駆動ギア12a,12b と歯合し、駆動ギア12b はエアモータ３で駆動されるようになっている。
【００２８】
さらに、レンチ本体１の先端部には、先端部の上側面に沿って前後（図示左右方向）に移動する略矩形のパイプガイド13が設けられており、パイプガイド13は、バネ13c により前側（図示左側）に付勢されている。パイプガイド13の先端部には、半円形の切欠きからなる管受け部13a が形成されており、パイプガイド13の基端側には棒状体13b を設けている。チャックギア10にフレアナットＦを係合させたときにフレアナットＦの位置が正常であれば、パイプガイド13が管部Ｐに押されて後ろ側（図示右側）に移動するようになっている。
【００２９】
パイプガイド13の棒状体13b の基端側の先端は、位置検出バルブ５のスイッチ部5aに面している。
【００３０】
次に、チャックギア10にフレアナットＦを係合させたときの状態について説明する。
【００３１】
チャックギア10にフレアナットＦを係合させたとき、フレアナットＦが正常な位置に係合したのであれば、図４及び図５に示すように、パイプガイド13が管部Ｐに押されて後ろ側（図示右側）に移動する。
【００３２】
そして、パイプガイド13の棒状体13b が位置検出バルブ５のスイッチ部5aを押し、位置検出バルブ５がオンして信号を発し、外部制御ユニット２のパイロット弁９が切り替わる。（具体的には、外部制御ユニット２から減圧弁７で減圧されて位置検出バルブ５に送られていた信号伝達用のエアが大気に放出され、パイロット弁９にかかっていた信号用のエアが減圧され、パイロット弁９が切り替わる。）
すると、パイロット弁９がメインエアバルブ８をオンし、レンチ本体１にエアの供給を開始する。
【００３３】
そのため、スロットルバルブ４を開くとエアモータ３が回る。
【００３４】
反対に、チャックギア10にフレアナットＦを係合させたときにフレアナットＦの位置が正常でない場合（フレアナットＦがナット係合部10c の奥にまで充分に入っていない場合）は、パイプガイド13の棒状体13b が位置検出バルブ５のスイッチ部5aを押さず、位置検出バルブ５からの信号がないため、外部制御ユニット２のメインエアバルブ８がオフしたままであり、レンチ本体１にエアが送られないため、レンチ本体１のスロットルバルブ４を開いてもエアモータ３は回らない。
【００３５】
次に、この発明の第２実施例について図２〜図５、及び図６に基づき説明する。
【００３６】
この実施例は、第１実施例より外部制御ユニットをなくし、センサである位置検出バルブ５（レンチ本体１に内蔵されている）により直接レンチ本体１のエアモータ３を制御するようにした例である。
【００３７】
図６は、第２実施例の回路図であり、レンチ本体１へはエア源６から直接エアが送られている。さらに、レンチ本体１へ送られたエアは、位置検出バルブ５を通ってスロットルバルブ４，４に至り、スロットルバルブ４，４を通ったエアはエアモータ３に至るようになっている。そのため、スロットルバルブ４，４のいずれかを押すと内蔵するエアモータ３が正回転又は逆回転し、レンチ１の先端部のチャックギア４が締付け方向又は弛め方向に回動するようになっている。
【００３８】
前記位置検出バルブ５は、フレアナットＦから延設された管部Ｐの位置を検出するセンサである。
【００３９】
レンチ本体１の先端部の構造は、第１実施例と同一であるため、図２〜図５を使用して説明をすると、次のようになる。
【００４０】
レンチ本体１の先端部の上側面には、上側面に沿って前後に移動する略矩形のパイプガイド13が設けられており、パイプガイド13は、バネ13c により前方に付勢されている。パイプガイド13の先端部には、半円形の切欠きからなる管受け部13a が形成されており、基端側には棒状体13b を設けている。チャックギア10にフレアナットＦを係合させたときにフレアナットＦの位置が正常であれば、パイプガイド13が管部Ｐに押されて後方（基端側）に移動するようになっている。
【００４１】
パイプガイド13の棒状体13b の基端側の先端は、位置検出バルブ５のスイッチ5aに面している。
【００４２】
次に、チャックギア10にフレアナットＦを係合させたときの状態について説明する。
【００４３】
チャックギア10にフレアナットＦを係合させたとき、フレアナットＦが正常な位置に係合したのであれば、図４及び図５に示すように、パイプガイド13が管部Ｐに押されて後方（基端側）に移動する。
【００４４】
そして、パイプガイド13の棒状体13b が位置検出バルブ５のスイッチ5aを押し、位置検出バルブ５がオンし、スロットルバルブ４にエアの供給を開始する。
【００４５】
そのため、スロットルバルブ４を開くとエアモータ３が回る。
【００４６】
反対に、チャックギア10にフレアナットＦを係合させたときにフレアナットＦの位置が正常でない場合は、パイプガイド13の棒状体13b が位置検出バルブ５のスイッチ5aを押さないため、位置検出バルブ５がオフしたままであり、スロットルバルブ４を開いてもエアモータ３は回らない。
【００４７】
次に、この発明の第３実施例について図７、図８、図９に基づき説明する。
【００４８】
図７は、第３実施例の回路図であり、前記第１実施例及び第２実施例ではセンサとして位置検出バルブ５を使用し、エア回路によりオン／オフ制御する例を示したが、この実施例では電気回路を使用してレンチ本体21に供給するエアをオン／オフ制御するようにした例を示している。
【００４９】
この実施例のフレアナット用動力レンチは、図７の回路図に示すように、レンチ本体21と外部制御ユニット22からなり、外部制御ユニット22から送られたエアによりレンチ本体21に内蔵されたエアモータ29が回るようになったものであり、レンチ本体21に設けたスロットルバルブ24，24のいずれかを押すと内蔵するエアモータ29が正回転又は逆回転し、レンチ21の先端部のチャックギア30が締付け方向又は弛め方向に回動するようになっている。さらに、レンチ本体21には、フレアナットＦを締緩するときに、フレアナットＦから延設された管部Ｐの位置を検出するセンサであるリミットスイッチ25を取り付けている。
【００５０】
外部制御ユニット22は、リミットスイッチ25から送られた信号を検知し、電磁弁であるメインエアバルブ28をオン／オフするリレー27を有している。
【００５１】
図８は、レンチ本体21の先端部の構造を示す正面図であり、この図に示すように、レンチ本体21の先端部には、フレアナットＦのナット部と係合するチャックギア30を設けている。
【００５２】
チャックギア30はレンチ本体21に内蔵されたエアモータ29で駆動されるようになっており、チャックギア30及びチャックギア30を駆動するギア類の構成は、前記第１実施例と同一であるので、説明を省略する。
【００５３】
レンチ本体21の先端部には、先端部の上側面に沿って前後（図示左右方向）に移動可能に配された略矩形のパイプガイド23が設けられており、パイプガイド23は、バネ23c により前側（図示左側）に付勢されている。パイプガイド23の先端部には、半円形の切欠きからなる管受け部23a が形成されており、基端側には棒状体23b を設けている。チャックギア30にフレアナットＦを係合させたときにフレアナットＦの位置が正常であれば、パイプガイド23が管部Ｐに押されて後ろ側（図示右側）に移動するようになっている。
【００５４】
パイプガイド23の棒状体23b の基端側の先端は、リミットスイッチ25に面している。
【００５５】
次に、チャックギア30にフレアナットＦを係合させたときの状態について説明する。
【００５６】
チャックギア30にフレアナットＦを係合させたとき、フレアナットＦが正常な位置に係合したのであれば、図９に示すように、パイプガイド23が管部Ｐに押されて後ろ側（図示右側）に移動する。
【００５７】
そして、パイプガイド23の棒状体23b がリミットスイッチ25を押し、リミットスイッチ25が信号を発する。
【００５８】
すると、リレー27がリミットスイッチ25からの信号によりメインエアバルブ28をオンし、レンチ本体21にエアの供給を開始する。
【００５９】
そのため、スロットルバルブ24を開くとエアモータ29が回る。
【００６０】
反対に、チャックギア30にフレアナットＦを係合させたときにフレアナットＦの位置が正常でない場合は、リミットスイッチ25からの信号がないため、メインエアバルブ28がオフしたままであり、スロットルバルブ24を開いてもエア源26からエアが流れず、エアモータ29は回らない。
【００６１】
次に、この発明の第４実施例について図１０、図１１に基づき説明する。
【００６２】
この実施例は、第３実施例と同様に電気回路によりレンチ本体21に供給するエアをオン／オフ制御するようにしたものであり、センサをリミットスイッチ25に代えて光スイッチ45を使用した例である。
【００６３】
回路は、前記第３実施例と同一であるので、回路の具体的な説明については省略する。
【００６４】
図１０は、レンチ本体41の先端部の構造を示す正面図であり、この図に示すように、レンチ本体41の先端部には、フレアナットＦのナット部と係合するチャックギア40を設けている。
【００６５】
チャックギア40はエアモータ29で駆動されるようになっており、チャックギア40及びチャックギア40を駆動するギア類の構成は、前記実施例と同一である。
【００６６】
レンチ本体41の先端部には、先端部の上側面に沿って前後（図示左右方向）に移動する略矩形のパイプガイド43が設けられており、パイプガイド43は、バネ43c により前側（図示左側）に付勢されている。パイプガイド43の先端部には、半円形の切欠きからなる管受け部43a が形成されており、基端側には棒状体43b を設けている。チャックギア40にフレアナットＦを係合させたときにフレアナットＦの位置が正常であれば、パイプガイド43が管部Ｐに押されて後ろ側（図示右側）に移動するようになっている。
【００６７】
パイプガイド43の棒状体43b の基端側の先端は、光スイッチ45の発光部45a と受光部45b の間に入ることができるように配されている。
【００６８】
次に、チャックギア40にフレアナットＦを係合させたときの状態について説明する。
【００６９】
チャックギア40にフレアナットＦを係合させたとき、フレアナットＦが正常な位置に係合したのであれば、図１１に示すように、パイプガイド43が管部Ｐに押されて後ろ側（図示右側）に移動する。
【００７０】
そして、パイプガイド43の棒状体43b が光スイッチ45の発光部45a と受光部45b の間に入って発光部45a から受光部45b に至る光を遮断し、光スイッチ45が信号を発する。
【００７１】
すると、リレー27が光スイッチ45からの信号によりメインエアバルブ28をオンし、レンチ本体21にエア源26からのエアの供給を開始する。
【００７２】
そのため、スロットルバルブ24を開くとエアモータ29が回る。
【００７３】
反対に、チャックギア40にフレアナットＦを係合させたときにフレアナットＦの位置が正常でない場合は、パイプガイド43の棒状体43b が光スイッチ45の発光部45a から受光部45b に至る光を遮断せず、光スイッチ45からの信号がないため、メインエアバルブ28がオフしたままであり、スロットルバルブ24を開いてもエア源26からエアが流れず、エアモータ29は回らない。
【００７４】
次に、この発明の第５実施例について図１２、図１３に基づき説明する。
【００７５】
この実施例は、光スイッチ46をチャックギア40の上側に配置し、チャックギア40にフレアナットＦを係合させたとき、フレアナットＦが正常な位置に係合したのであれば、管部Ｐが発光部46a から受光部46b に至る光を遮断し、光スイッチ46が信号を発するようにした例である。
【００７６】
回路は、前記第３実施例と同一であるので、回路の具体的な説明については省略する。
【００７７】
図１２は、レンチ本体44の先端部の構造を示す正面図であり、この図に示すように、レンチ本体44の先端部には、フレアナットＦのナット部と係合するチャックギア40を設けている。
【００７８】
チャックギア40の上側位置には、コの字形をした光スイッチ46を設けている。
【００７９】
光スイッチ46は、チャックギア40の回転軸中心を通る対向位置に発光部46a と受光部46b を設けており、チャックギア40にフレアナットＦを係合させたとき、フレアナットＦが正常な位置に係合したのであれば、図１３に示すように、管部Ｐが光スイッチ46の発光部46a から受光部46b に至る光を遮断し、光スイッチ46が信号を発する。
【００８０】
すると、リレー27が光スイッチ46からの信号によりメインエアバルブ28をオンし、レンチ本体21にエア源26からのエアの供給を開始する。
【００８１】
そのため、スロットルバルブ24を開くとエアモータ29が回る。
【００８２】
反対に、チャックギア40にフレアナットＦを係合させたときにフレアナットＦの位置が正常でない場合は、管部Ｐが光スイッチ46の発光部46a から受光部46b に至る光を遮断せず、光スイッチ46からの信号がないため、メインエアバルブ28がオフしたままであり、スロットルバルブ24を開いてもエア源26からエアが流れず、エアモータ29は回らない。
【００８３】
次に、この発明の第６実施例について図１４、図１５に基づき説明する。
【００８４】
この実施例は、第３実施例と同様に電気回路によりレンチ本体21に供給するエアをオン／オフ制御するようにしたものであり、センサをリミットスイッチ25に代えて近接センサ55を使用した例である。
【００８５】
回路は、第３実施例と同一であるので、回路の具体的な説明については省略する。
【００８６】
図１４は、レンチ本体51の先端部の構造を示す正面図であり、この図に示すように、レンチ本体51の先端部には、フレアナットＦのナット部と係合するチャックギア50を設けている。
【００８７】
チャックギア50はエアモータ29で駆動されるようになっており、チャックギア50及びチャックギア50を駆動するギア類の構成は、前記第１実施例と同一である。
【００８８】
レンチ本体51の先端部には、先端部の上側面に沿って前後（図示左右方向）に移動する略矩形のパイプガイド53が設けられており、パイプガイド53は、バネ53c により前側（図示左側）に付勢されている。パイプガイド53の先端部には、半円形の切欠きからなる管受け部53a が形成されており、基端側には棒状体53b を設けている。チャックギア50にフレアナットＦを係合させたときにフレアナットＦの位置が正常であれば、パイプガイド53が管部Ｐに押されて後ろ側（図示右側）に移動するようになっている。
【００８９】
パイプガイド53の棒状体53b の基端側の先端は、近接センサ55に面している。
【００９０】
次に、チャックギア50にフレアナットＦを係合させたときの状態について説明する。
【００９１】
チャックギア50にフレアナットＦを係合させたとき、フレアナットＦが正常な位置に係合したのであれば、図１５に示すように、パイプガイド53が管部Ｐに押されて後ろ側（図示右側）に移動する。
【００９２】
そして、パイプガイド53の棒状体53b が近接センサ55に近づき、近接センサ55が信号を発する。
【００９３】
すると、リレー27が近接センサ55からの信号によりメインエアバルブ28をオンし、レンチ本体21にエア源26からのエアの供給を開始する。
【００９４】
そのため、スロットルバルブ24を開くとエアモータ29が回る。
【００９５】
反対に、チャックギア50にフレアナットＦを係合させたときにフレアナットＦの位置が正常でない場合は、パイプガイド53の棒状体53b が近接センサ55に近づかず、近接センサ55からの信号がないため、メインエアバルブ28がオフしたままであり、スロットルバルブ24を開いてもエア源26からエアが流れず、エアモータ29は回らない。
【００９６】
以上の第１実施例〜第６実施例では、エアモータを使用した例を示したが、エアモータに代えて電動モータ（以下、単にモータという）を使用しても実施することができる。
【００９７】
次に、モータを使用した第７実施例について図１６に基づき説明する。
【００９８】
図１６は、第７実施例の回路図であり、センサとして第３実施例と同様にリミットスイッチ25を使用した例で説明するが、前記第４実施例〜第６実施例のように、光スイッチ45，46や近接センサ55を使用して実施することもできる。尚、センサとして光スイッチ45を使用した場合のレンチ本体１の先端部の構造は、第４実施例（図１０及び図１１）として示したものと同一であり、光スイッチ46を使用しチャックの上側に配置した場合は、第５実施例（図１２及び図１３）として示したものと同一であり、近接センサ55を使用した場合は、第６実施例（図１４及び図１５）として示したものと同一である。
【００９９】
このように、光スイッチ45，46や近接センサ55を使用した実施例については、レンチ本体の先端部の構成は前記第４実施例〜第６実施例と同一であり、回路図はこの第７実施例と同一であるので、説明を省略する。
【０１００】
この実施例のフレアナット用動力レンチは、図１６の回路図に示すように、レンチ本体61と外部制御ユニット62からなり、外部制御ユニット62から送られた電気によりレンチ本体61に内蔵されたモータ63が回るようになったものであり、レンチ本体61に設けたスロットルスイッチ64，64のいずれかを押すと内蔵するモータ63が正回転又は逆回転し、レンチ本体61の先端部のチャックギアが締付け方向又は弛め方向に回動するようになっている。さらに、レンチ本体61には、フレアナットＦを締緩するときに、フレアナットＦから延設された管部Ｐの位置を検出するセンサであるリミットスイッチ25を取り付けている。
【０１０１】
外部制御ユニット62はインバータ装置65が内蔵されており、モータ63はこの装置65により制御されている。すなわち、スロットルスイッチ64，64の引く程度に応じてインバータ装置65からの出力が変更され、モータ63の回転速度及びトルクが変わるようになっている。さらに、リミットスイッチ25の信号もインバータ装置65に接続されており、リミットスイッチ25から送られた信号を検知しないとインバータ装置65からレンチ本体61に電気が流れないようになっている。
【０１０２】
レンチ本体61の先端部の構成は、図８及び図９に示す第３実施例と同一であるので、説明を省略する。
【０１０３】
次に、チャックギアにフレアナットＦを係合させたときの状態について説明する。
【０１０４】
チャックギアにフレアナットＦを係合させたとき、フレアナットＦが正常な位置に係合したのであれば、パイプガイド23の棒状体23b がリミットスイッチ25を押し、リミットスイッチ25が信号を発する。
【０１０５】
すると、インバータ装置65がリミットスイッチ25からの信号により出力可能な状態になる。
【０１０６】
スロットルスイッチ64を引くと、引かれた程度に応じて出力が変わり、モータ63が回る。
【０１０７】
反対に、チャックギアにフレアナットＦを係合させたときにフレアナットＦの位置が正常でない場合は、リミットスイッチ25からの信号がないため、インバータ装置65から電気が流れず、モータ63は回らない。
【０１０８】
この実施例では、インバータ装置を使用してモーターを制御するようにした例を示したが、公知の他の出力制御装置によりモーターを制御して実施することも可能である。
【０１０９】
【発明の効果】
この発明では、上記のように、フレアナットのナット部をレンチのナット係合部に正常に係合させないとレンチが起動しないので、チャックギアによりフレア配管の管部に傷を付けたり、管部を潰したりすることにより生ずるトラブルが生じないフレアナット用動力レンチとなる。
【０１１０】
さらに、請求項２、請求項３、請求項４、請求項５、請求項７、請求項８、請求項９、請求項１１に記載の発明では、パイプガイドを設けており、パイプガイドでフレアナットから延設された管部の位置を検出するようにし、センサはパイプガイドにより管部と離れた位置で管部の位置を検出するようにしているので、レンチ本体の先部にはセンサがなく、レンチ本体の先部を小型化できるだけでなく、センサを設けたことによる作業への影響がなくなる。さらに、センサが、作業中に他の物とぶつかりやすいレンチ本体の先端付近にないので、故障することがなくなり、センサをレンチ本体の先端付近に設けた場合に比べ、耐久性が良くなる。
【図面の簡単な説明】
【図１】この発明のフレアナット用動力レンチの第１実施例の回路図である。
【図２】第１実施例であるレンチ本体の先端部の構造を示す正面図である。
【図３】第１実施例であるレンチ本体の先端部の内部構造を示す縦断面図である。
【図４】第１実施例であるレンチ本体にフレアナットを係合させたときの状態を示す正面図である。
【図５】第１実施例であるレンチ本体にフレアナットを係合させたときの状態を示す縦断面図である。
【図６】この発明のフレアナット用動力レンチの第２実施例の回路図である。
【図７】この発明のフレアナット用動力レンチの第３実施例の回路図である。
【図８】第３実施例であるレンチ本体の先端部の構造を示す正面図である。
【図９】第３実施例であるレンチ本体にフレアナットを係合させたときの状態を示す正面図である。
【図１０】第４実施例であるレンチ本体の先端部の構造を示す正面図である。
【図１１】第４実施例であるレンチ本体にフレアナットを係合させたときの状態を示す正面図である。
【図１２】第５実施例であるレンチ本体の先端部の構造を示す正面図である。
【図１３】第５実施例であるレンチ本体にフレアナットを係合させたときの状態を示す正面図である。
【図１４】第６実施例であるレンチ本体の先端部の構造を示す正面図である。
【図１５】第６実施例であるレンチ本体にフレアナットを係合させたときの状態を示す正面図である。
【図１６】この発明のフレアナット用動力レンチの第７実施例の回路図である。
【図１７】従来のフレアナット用動力レンチの全体形状を表す斜視図である。
【符号の説明】
Ｆ…フレアナット
Ｐ…管部
１，21，41，44，51，61…レンチ本体
２，22，62…外部制御ユニット
３，29…エアモータ
５…位置検出バルブ
10，30，40，50…チャックギア
10a …歯車部
10b …開口部
13，23，43，53…パイプガイド
25…リミットスイッチ
45，46…光スイッチ
55…近接センサ
63…モータ
【図１】
0004013219.tif 000002
【図２】
0004013219.tif 000003
【図３】
0004013219.tif 000004
【図４】
0004013219.tif 000005
【図５】
0004013219.tif 000006
【図６】
0004013219.tif 000007
【図７】
0004013219.tif 000008
【図８】
0004013219.tif 000009
【図９】
0004013219.tif 000010
【図１０】
0004013219.tif 000011
【図１１】
0004013219.tif 000012
【図１２】
0004013219.tif 000013
【図１３】
0004013219.tif 000014
【図１４】
0004013219.tif 000015
【図１５】
0004013219.tif 000016
【図１６】
0004013219.tif 000017
【図１７】
0004013219.tif 000018